(57)【要約】【課題】  カップの着脱が簡単で、利用時の安心感と安定感があり、コンパクトな収納機能も有したカップホルダーを提供する。【解決手段】  カップホルダー上部の溝５にカップ上部開口部の周縁１を挟み、カップホルダー底部の円形凸状９ａに、カップ底部裏面の円形凹形状３を嵌合させて、上下からカップを挟み込んで保持することで、どの方向にも外れにくい状態になる。そのためには、保持状態において、カップホルダーの上部溝５と、底部台座８の間の距離が固定化されていなければならず、上部と底部をつなぐ一体型の把手６がその役割を果たすものである。また、底部台座８に連なる把手底部７の接地面が、置いた時の安定感をもたらす。さらに、カップホルダーの収納時には、台座８に設けた貫通孔１０を、棒状部材、または紐状部材に挿通させることで、複数のカップホルダーを重ねてコンパクトに収納出来るものである。【選択図】図１
2017148468.tif 000002
【特許請求の範囲】
【請求項１】
カップを上部側と底部側から、挟み込み保持する仕組みの把手一体型カップホルダー。
【請求項２】
前記保持部のそれぞれは、カップ上部開口部の周縁が、隙間なく収まる上部保持部の溝と、カップ底部裏面の円形状の凹みが、嵌合する円形凸状の台座、またはカップ底部の外周が、嵌合する凹部形状の台座のいずれかであることを特徴とする、請求項１に記載のカップホルダー
【請求項３】
前記底部の台座には、ほぼ中央に貫通孔が設けられ、棒状部材や紐状部材などを、前記貫通孔に挿通することで、コンパクトに重ねることが可能であることを特徴とする、請求項１または請求項２に記載のカップホルダー。
【請求項４】
前記カップホルダーにカップを搭載した際には、カップ単体の場合よりも、台座の底部の接地面積、底部と一体構成の把手下部の接地面積の増加により、安定して卓上で自立できることを特徴とする、請求項１ないし請求項３に記載のカップホルダー。
【発明の詳細な説明】
【技術分野】
【０００１】  本発明は、汎用的に流通している使い捨てカップなどを、容易に着脱できて、把手付きのマグカップやコーヒーカップなどのように飲み物を飲むことが可能で、しかも、複数個をコンパクトに収納することが可能である、カップホルダーに関するものである。
【背景技術】
【０００２】  汎用的に流通している使い捨てのカップなどは、薄い形状であることが多く、例えば熱い飲み物の熱が、持つ手に伝わり安く、カップをしっかり持つことが難しいという課題がある。【０００３】  そのための、従来の対処法としては、カップが断熱機能を有した素材で形成されているものや、把手が付加されたものなどがあるが、すべてのカップに、その処理は施されていない。【０００４】  そこで、例えば特許文献２、または特許文献４のように、これらのカップのおよそ下半分くらいの高さを、差し込んで使用する、筒状の把手付きカップホルダーなども開発されているが、その場合、上方向へカップを引き抜く事が可能な構造上、使用時に上方向へ抜けないようにする為の改善の余地はある。【０００５】  また、それらは把手の高さが、中央から低位置にあることが多く、持つ時の指の形状が限定的になり、例えば指の力の弱い高齢者などにとっては、扱いづらい場合もある。【０００６】  さらに、把手の位置が低い場合には、カップに飲料を満たした際に、手にかかる重量バランスにおいて不安を感じる場合がある。【０００７】  これらの汎用的に流通している使い捨てのカップなどは、単体の場合において、中身が空、又は空に近い状態では重量が非常に軽く、僅かな風や、衝撃などの影響を受け、移動または転倒するなど、安定感において十分ではない。そこで、より安定した重量バランスや、接地面積についての改善の余地がある。【０００８】  これらの汎用的に流通している使い捨てカップなどの利用場面としては、複数の人数が集まる場所で利用される事が多く、その際にカップホルダーを使用するとなれば、着脱の簡易さと、未使用時の収納性が課題となる。
【先行技術文献】
【特許文献】
【０００９】
【特許文献１】特開２０１５−０７１０２０号公報
【特許文献２】特開２０１４−２１７４３９号公報
【特許文献３】特開２０１２−１５７３７９号公報
【特許文献４】特開平０８−２１５０１７号公報
【発明の概要】
【発明が解決しようとする課題】
【００１０】  本発明の課題は、かかる課題に鑑み、日常汎用的に流通している使い捨てカップなどの使用時において、安心かつ安定した使用感をもたらすカップホルダーを提供することにある。【００１１】  そのため、本発明の課題は、カップホルダーを使用している際に、カップホルダーからカップが外れたり、ぐらつかないように、カップを安定的に保持する構造を有したカップホルダーを提供することにある。【００１２】  また、本発明は、このカップホルダーを卓上などに置く際、形状や重心の安定感を有したカップホルダーを提供することにある。【００１３】  また、本発明は、使用時に簡単にカップを着脱できる構造を有したカップホルダーを提供することにある。【００１４】  また、本発明はカップを取り外して収納する際に、少ないスペースで数多く収納出来るカップホルダーを提供することにある。
【課題を解決するための手段】
【００１５】  本発明は、前記課題解決のため、カップを安定して保持する構造と合わせて、カップが空に近い状態でも安定感が得られ、かつ簡単に着脱できる仕組みを有し、更に少ないスペースで数多く収納できるカップホルダーの構造に想到した結果、なされたものである。【００１６】  即ち本発明は、カップ上部開口部の周縁が嵌合する、カップホルダー上部の溝と、カップ底部裏面の円形状の凹みが嵌合する、カップホルダー底部の円形凸状の台座、もしくはカップ底部の外周が嵌合する、凹部形状の台座により、上下方向からカップを密に挟みこみ、保持することを特徴とする、カップホルダーである。【００１７】  そのため、本発明は、カップを上下方向からしっかり挟むために、カップ搭載後の、カップホルダー上部の溝と、底部台座との距離の固定が重要であり、その距離の固定の確保は、本体と一体型の把手により維持されることを特徴としたカップホルダーである。【００１８】  また、本発明は、カップを簡単に搭載する仕組みとして、可撓性を有するカップであれば、カップの撓りに抗いながら、カップホルダー上部溝にカップ上部の開口部の周縁を嵌合させ、またカップ底部をカップホルダー底部凸形状または凹形状に嵌合させる、簡単な動作で搭載が完了することを特徴とするカップホルダーである。【００１９】  また、例えば変形させづらいカップを使用する場合には、カップホルダー本体を、保持に適した可撓性を持った素材で形成することで、搭載時には、カップホルダー本体の撓りに抗いながら、上部溝と底部台座との距離を僅かに開き嵌合させ、嵌合後のカップは上下から挟まれるように保持され、取り外す際には、搭載時の逆の動作で取り外す事が出来る事を特徴とするカップホルダーである。【００２０】  さらに、本発明は、使用後のカップを簡単に取り外す仕組みとして、容易に変形させることができるカップであれば、カップ周囲側面の中腹部を前後から指で潰すことでカップが容易に大きく変形し、カップの上部もしくは底部が、カップホルダーの嵌合部分から外れ、簡単に取り外すことが出来る事を特徴とするカップホルダーである。【００２１】  また、本発明は、カップホルダーを卓上などに置いた際に、カップホルダー底部台座の接地面に加え、底部台座の接地面と同じ面上に連結された、把手底部の接地面の増加により、より安定した自立をもたらす事を特徴とするカップホルダーである。【００２２】  また、本発明は収納する仕組みとして、棒状もしくは紐状部材に、カップホルダー底部台座に設けた貫通孔を挿通して、複数個のカップホルダーを重ねてコンパクトに収納できることを特徴としたカップホルダーである。
【発明の効果】
【００２３】  本発明に係るカップホルダーは、カップが搭載された後は、上下から挟むようにカップを保持している状態になることに加え、上部嵌合部の溝と台座特有の嵌合形状により、上下、前後、左右、各斜め方向などすべての方向にカップが外れにくくなる効果がある。【００２４】  また、本発明に係るカップホルダーは、カップホルダーの上部から底部台座まで、一体となってつながる把手を有することから、人体の手は熱い飲み物の熱の影響を受けることなく、しっかり握れるマグカップなどを持つように、安心して使用できる効果がある。【００２５】  また、本発明に係るカップホルダーは、カップ単体だけの底部接地面積よりも、把手底面も含むカップホルダー底部裏面の接地面積の方が広くなることに加え、カップホルダー底部台座の厚みにより、自ずとカップホルダー底部の重量が増すことから、結果的に卓上では、軽いカップが低重心で安定的に自立し、安心感をもたらす効果がある。【００２６】  また、本発明に係るカップホルダーは、搭載時、取り外し時において、いずれも簡単な動作で、かつ短時間で完了させることができ、数多く使用する際でも手際よく対応できる効果がある。【００２７】  また、本発明に係るカップホルダーは、使用しない時、複数個のカップホルダーを重ねて収納することで、収納スペースをコンパクトにする効果がある。
【図面の簡単な説明】
【００２８】
【図１】本発明に係るカップホルダーの一例に、カップを搭載した状態を示す、斜視図。
【図２】本発明に係るカップホルダーの一例に、カップを搭載した状態を示す、底部台座凸形状への嵌合状態の側面図（ａ）と、底部台座凹形状への嵌合状態の側面図（ｂ）。
【図３】本発明に係るカップホルダーの一例に、カップを搭載した状態を示す、平面図（ａ）と底面図（ｂ）。
【図４】本発明に係るカップホルダーの一例に、カップを搭載した状態を示す、右側面図（ａ）と左側面図（ｂ）。
【図５】本発明に係るカップホルダーの一例に、カップを搭載した状態を示す、背面図（ａ）と正面図（ｂ）。
【図６】本発明に係るカップホルダーの一例に、カップを搭載していない状態を示す、斜視図。
【図７】本発明に係るカップホルダーの一例に、カップを搭載していない状態を示す、底部台座凸形状の側面図（ａ）と底部台座凹形状の側面図（ｂ）。
【図８】本発明に係るカップホルダーの一例に、カップを搭載していない状態を示す、平面図（ａ）と底面図（ｂ）。
【図９】本発明に係るカップホルダーの一例に、カップを搭載していない状態を示す、右側面図（ａ）と左側面図（ｂ）。
【図１０】本発明に係るカップホルダーの一例に、カップを搭載していない状態を示す、背面図（ａ）と正面図（ｂ）。
【図１１】本発明に係るカップホルダーの一例に、カップを搭載する動作の状態を示す、側面図（ａ）と側面図（ｂ）と側面図（ｃ）と、カップを取り外す状態を示す側面図（ｄ）。
【図１２】本発明に係るカップホルダーの一例を、収納した際の斜視図。
【図１３】本発明に係るカップホルダーの一例を、複数収納した際の正面図。
【発明を実施するための形態】
【００２９】  次に本発明の実施の形態について、具体的な図に基づいて説明する。
【００３０】  なおここでは、汎用的に流通している使い捨てカップなどの中から、紙コップを用いた例について説明する。
【００３１】  図１は、本発明に係るカップホルダーの一例に、紙コップを搭載した斜視図である。破線は紙コップ、実線はカップホルダーを示す。
【００３２】  図１ないし図５の通り、紙コップが搭載された状態では、カップホルダーの上部溝５に、紙コップ上部開口部の周縁１が嵌合し、さらにカップホルダー底部円形凸状９ａを有する底部台座８に、紙コップ底部３の内側凹形状が嵌合することで、どの方向にも外れない、紙コップとカップホルダーの一体形状が成り立つ。
【００３３】  図２（ｂ）は、底部円形凹状９ｂを有する底部台座８に、紙コップ底部３の周囲が嵌合する状態を示すもので、前記同様どの方向にも外れない一体形状が成り立つ。
【００３４】  そのための条件として、カップホルダーの上部溝５と、底部台座８との間の距離の固定が必要であり、これらをつなぐ一体型の把手６が、この構造を維持している。
【００３５】  また、これらの図の示す通り、カップホルダー底部台座８の接地面積は、紙コップ単体の場合の底部３が設置する周囲面積より広く、さらに一体型の把手底部７の接地面積も加わることで、より安定した自立が可能になる。
【００３６】  さらに、軽い紙コップを搭載した際の重心バランスは、カップホルダー底部台座８の厚さによる重量が、低重心を生み出し、卓上などに置いた時に、僅かな衝撃や風の影響を受けても転びにくく、紙コップ単体よりも、カップホルダーに搭載した方が安定感は増す。
【００３７】  図１１の示す通り、紙コップを取り付ける場合には、図１１（ａ）、（ｂ）の通り、紙コップを傾けながら、先にカップホルダー上部溝５に、紙コップ上部開口部の周縁１を差し込み、次に紙コップの素材特有の可撓性の反力に抗いながら、紙コップ底部３を把手方向へスライドさせ、最終的に紙コップ底部裏面の凹みが、カップホルダー底部の円形凸状９ａに嵌合し、搭載が完了する。また図２（ｂ）の底部台座形状の場合も同様の動作で搭載が出来る。
【００３８】  図１１（ｄ）の示す通り、使い終わった紙コップを取り外す際には、紙コップ側面部２ａを指で前後から挟み潰すことで、自ずと紙コップの上下どちらかの縁がカップホルダーから外れるため、容易に取り外す事が可能である。
【００３９】  また、ここまでの説明は紙コップを例にしたが、紙コップに限定されたものではなく、例えば薄いプラスチックカップなどのように、可撓性を有したカップを搭載する場合も同様であり、これらの場合のカップホルダーの素材は、搭載後の保持力を考えると、例えば木材、高分子素材、金属素材などのように硬い素材で形成されている事が望ましい。
【００４０】  一方、カップの素材が、例えばガラスや陶磁器などのように、硬い素材で作られたカップを搭載する際には、着脱の都合を考えてカップホルダーの素材は、搭載後の保持に適した可撓性のある素材で形成されるものが望ましく、その場合には、カップホルダー本体の撓りを効かせた動きで着脱することが可能になる。
【００４１】  図１２は、本発明に係るカップホルダーを収納する際に、台座１２に接合されてある棒状部材１１に、カップホルダーの台座８に設けた貫通孔１０を挿通した一例を示す斜視図である。
【００４２】  図１３の示す通り、棒状部材１１に、カップホルダー底部中央の穴１０を挿通すことで、安定して重ねて保管でき、更に複数個のカップホルダーを数多く保管する際には、把手が当たらないように、把手をずらしながら重ねることで、結果的に多くのカップホルダーをコンパクトに収納することが可能になる。
【００４３】  また、前記の複数個の収納の際に、把手を同一方向へ１つずつずらして、棒状部材１１を軸とし、把手が螺旋形状を織りなしながら積み重なる方法が最大の収納状態となる。
【００４４】  また、この場合は、図１２，図１３で示す台座１２から、棒状部材１１は取り外しができるものであれば、数多くカップホルダーが積み重なっていても、棒状部材１１を台座１２から抜くことで、一番下のカップホルダーは、わざわざ、すべての積重なったカップホルダーを外さなくても取り出すことが可能になるものである。
【００４５】  なお、図１２、図１３は、水平な台座に対し、垂直に固定された棒状部材に積み重ねて収納していく場合の説明であるが、これに限らず、横になった棒状部材に挿通させて横方向へ連ねる事や、紐状部材に挿通して重ねて収納することも可能である。
【００４６】  以上に説明したように、本発明によれば、コンパクトに収納できる機能を有し、カップの着脱が容易で、安心かつ安定した使用感をもたらす、カップホルダーを提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００４７】１・・・・紙コップの上部開口部の周縁
２ａ・・・紙コップの外部側面部
２ｂ・・・紙コップの内部側面部
３・・・・紙コップの底部縁
４ａ・・・紙コップの外部底裏部
４ｂ・・・紙コップの内部底
５・・・・カップホルダーの上部溝
６・・・・カップホルダーの把手
７・・・・カップホルダーの把手底面部
８・・・・カップホルダーの底部台座
９ａ・・・カップホルダーの底部台座の円形凸状部
９ｂ・・・カップホルダーの底部台座の円形凹状部
１０・・・カップホルダーの底部台座の貫通孔
１１・・・収納具の棒状部材
１２・・・収納具の台座
【図１】
2017148468.tif 000003
【図２】
2017148468.tif 000004
【図３】
2017148468.tif 000005
【図４】
2017148468.tif 000006
【図５】
2017148468.tif 000007
【図６】
2017148468.tif 000008
【図７】
2017148468.tif 000009
【図８】
2017148468.tif 000010
【図９】
2017148468.tif 000011
【図１０】
2017148468.tif 000012
【図１１】
2017148468.tif 000013
【図１２】
2017148468.tif 000014
【図１３】
2017148468.tif 000015
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
開口部周縁部に補強縁を備え、下方に突出した円環状の底部を備えた紙コップを、前記開口部周縁部と前記底部から挟み込み、保持するための、開口部周縁部保持部及び底部保持部を備えた把手を有するカップホルダーにおいて、前記把手の前記底部保持部側には、前記底部保持部の方向に向けられた屈曲部が設けられ、前記底部保持部と前記屈曲部との間には、前記カップホルダーの載置面と接する載置部を有し、前記載置部の面積は、前記把手の断面積よりも広いことを特徴とするカップホルダー。
【請求項２】
前記開口部周縁部保持部には、前記補強縁が嵌合する溝が備えられ、前記底部保持部には、前記円環状の底部の内周側に嵌合する円形凸状の台、または前記円環状の底部の外周側が嵌合する円形凹部のいずれかであることを特徴とする、請求項１に記載のカップホルダー。
【請求項３】
前記底部保持部は、ほぼ中央に貫通孔が設けられ、台座に接合されてなる棒状部材を、前記貫通孔に挿通することで、積み重ねることが可能であることを特徴とする、請求項１または請求項２に記載のカップホルダー。